(57)【要約】      （修正有）【課題】外部通信網に依存せずにアンテナ調整ができるデジタル放送受信装置、携帯端末及びデジタル放送受信システムを提供する。【解決手段】デジタル放送受信装置は、デジタル放送受信機能と近距離無線通信機能が備えられている機器などを含み、外部通信網を介さずに、受信強度の情報を近距離無線通信機能が備えられている機器などを含む携帯端末に送信する。デジタル放送受信装置（テレビ１）は、受信強度の情報を示す受信強度画像を生成する画像生成部を具備し、近距離無線通信部を介して受信強度画像を携帯端末（タブレット３）に送信する。【選択図】図２
2019068185.tif 000002
【特許請求の範囲】
【請求項１】
受信強度の情報を携帯端末に送信するデジタル放送受信装置であって、
前記受信強度の情報を近距離無線通信で携帯端末に送信する、
ことを特徴とする、デジタル放送受信装置。
【請求項２】
請求項１に記載のデジタル放送受信装置であって、
前記受信強度の情報を示す受信強度画像を生成する画像生成部を具備し、
前記受信強度画像を前記携帯端末に送信する、
ことを特徴とする、デジタル放送受信装置。
【請求項３】
請求項１または請求項２に記載のデジタル放送受信装置であって、
前記携帯端末から前記近距離無線通信による信号を受信する受信部と、
前記受信部で受信した前記携帯端末からの制御信号により、受信パラメータを変更するパラメータ変更部と、
を具備することを特徴とする、デジタル放送受信装置。
【請求項４】
請求項３に記載のデジタル放送受信装置であって、
前記パラメータ変更部は、アンテナの受信偏波を切り替えるパラメータ、及び/または
、受信信号の同調周波数のパラメータを変更する、
ことを特徴とする、デジタル放送受信装置。
【請求項５】
近距離無線通信を行う近距離無線通信手段を具備した携帯端末であって、
デジタル放送受信装置と前記近距離無線通信を確立し、
前記近距離無線通信にて、デジタル放送受信装置から受信した受信強度の情報を表示する表示部、
を具備することを特徴とする携帯端末。
【請求項６】
請求項５に記載の携帯端末であって、
前記近距離無線通信にて、デジタル放送受信装置の受信パラメータを変更する制御信号を送信する、
ことを特徴とする携帯端末。
【請求項７】
携帯端末とデジタル放送受信装置からなるデジタル放送受信システムであって、
前記携帯端末とデジタル放送受信装置は、近距離無線通信で通信が確立されており、
前記デジタル放送受信装置は、前記携帯端末に受信強度の情報を送信する、
ことを特徴とするデジタル放送受信システム。
【請求項８】
近距離無線通信を行う近距離無線通信手段を具備した携帯端末上で動作するプログラムであって、
デジタル放送受信装置と前記近距離無線通信を確立する通信確立ステップと、
前記近距離無線通信にて、デジタル放送受信装置から受信した受信強度の情報を表示する表示ステップと、
を含むプログラム。
【発明の詳細な説明】
【技術分野】
【０００１】
本発明はデジタル放送受信機およびデジタル放送受信システムに関し、より詳しくは、携帯端末を介してアンテナ調整用の情報を調整者に通知する技術に関する。
【背景技術】
【０００２】
テレビやレコーダーのアンテナを購入し設置する際、または台風等でアンテナが動いた場合、アンテナの向く方向を適切に調整する必要がある。特にBS／CSアンテナは正確さが求められる。このためアンテナ調整者（アンテナ設置者）は、アンテナの向く方向を正確に調整するために、テレビでの受信状況の確認とアンテナ方向の調整とを繰り返す必要がある。しかし、テレビとアンテナの設置場所は離れている場合が多く、一人で作業するのには困難な面がある。
【先行技術文献】
【特許文献】
【０００３】
【特許文献１】特開2001-69092号  このような課題に対し、従来の技術（特許文献１）では、受信機の受信状態を携帯電話などに送信し、アンテナ調整者（アンテナ設置者）は当該携帯電話からの情報を基にしてアンテナの設置・調整を行う技術が提案されている。
【発明の概要】
【発明が解決しようとする課題】
【０００４】
しかしながら、従来の技術では公衆（電話）回線を例とする外部通信網を通じて携帯電話などに送信するため、たとえば
１）公衆回線に対応した機器が必要であること、
２）公衆回線事業者との契約が必要であること、
３）公衆回線事業者から契約者へ課金されることからアンテナ調整を行う作業者が契約者と異なる場合に都合が悪い、
等の解決すべき課題があり、テレビとアンテナの設置場所が離れていても外部通信網に依存せずにアンテナ調整ができる仕組みが求められていた。
【課題を解決するための手段】
【０００５】
本発明に係るデジタル放送受信装置は、外部通信網を通じず近距離無線通信で受信強度の情報を携帯端末に送信することを特徴とする。
【０００６】
外部通信網を通じず近距離無線通信で送信するので、
１）公衆回線に対応した機器が不要、
２）公衆回線事業者との契約が不要、
３）公衆回線事業者から契約者へ課金されることがなく、アンテナ調整を行う作業者が契約者と異なる場合であっても問題がない、
という利点がある。
【０００７】
「デジタル放送受信装置」とは、デジタル放送受信機能と近距離無線通信機能が備えられている機器などを含み、より具体的には、テレビ、レコーダー、セットトップボックス、ゲーム機、ＰＣ、などである。
【０００８】
「携帯端末」とは、近距離無線通信機能が備えられている機器などを含み、より具体的には、タブレット端末、スマートフォン、携帯ゲーム機、などである。
【０００９】
また、本発明に係るデジタル放送受信装置は、前記受信強度の情報を示す受信強度画像を生成する画像生成部を具備し、前記受信強度画像を前記携帯端末に送信することを特徴とする。
【００１０】
画像生成部を具備することにより、受信強度の情報を示す受信強度画像を携帯端末に送信するので、前記携帯端末で画像を見ながらより直感的に受信強度を把握でき、より効率よくアンテナ調整ができる。
【００１１】
また、本発明に係るデジタル放送受信装置は、前記携帯端末から前記近距離無線通信による信号を受信する受信部と、前記受信部で受信した前記携帯端末からの制御信号により、受信パラメータを変更するパラメータ変更部とを具備することを特徴とする。
【００１２】
携帯端末からの制御信号により受信パラメータを変更するので、デジタル放送受信装置とアンテナの設置場所が離れていても携帯端末から受信パラメータを変更でき、より効率よくアンテナ調整ができる。
【００１３】
また、本発明に係るデジタル放送受信装置が備える前記パラメータ変更部は、アンテナの受信偏波を切り替えるパラメータ、及び/または、受信信号の同調周波数のパラメータ
を変更することを特徴とする。
【００１４】
携帯端末からの制御信号によりアンテナの受信偏波を切り替えるパラメータ、または、受信信号の同調周波数のパラメータを変更するので、デジタル放送受信装置とアンテナの設置場所が離れていても、アンテナの受信偏波を切り替えるパラメータ、または、受信信号の同調周波数のパラメータを変更でき、より効率よくアンテナ調整ができる。
【００１５】
携帯端末からの制御信号によりアンテナの受信偏波を切り替えるパラメータ、及び、受信信号の同調周波数のパラメータを変更するので、デジタル放送受信装置とアンテナの設置場所が離れていても、アンテナの受信偏波を切り替えるパラメータ、及び、受信信号の同調周波数のパラメータを変更でき、より効率よくアンテナ調整ができる。
【００１６】
また、本発明に係る携帯端末は、近距離無線通信を行う近距離無線通信手段を具備し、デジタル放送受信装置と前記近距離無線通信を確立し、前記近距離無線通信にて、デジタル放送受信装置から受信した受信強度の情報を表示する表示部、を具備することを特徴とする。
【００１７】
これにより上述した１）〜３）の利点に加え、デジタル放送受信装置とアンテナの設置場所が離れていても、外部通信網に依存せずにアンテナ調整ができる。
【００１８】
また、本発明に係る携帯端末は、前記近距離無線通信にて、デジタル放送受信装置の受信パラメータを変更する制御信号を送信することを特徴とする。
【００１９】
デジタル放送受信装置の受信パラメータを変更する制御信号を送信するので、デジタル放送受信装置とアンテナの設置場所が離れていても携帯端末から受信パラメータを変更でき、より効率よくアンテナ調整ができる。
【００２０】
また、本発明に係るデジタル放送受信システムは、携帯端末とデジタル放送受信装置からなり、前記携帯端末とデジタル放送受信装置は、近距離無線通信で通信が確立されており、前記デジタル放送受信装置は、前記携帯端末に受信強度の情報を送信する、ことを特徴とする。
【００２１】
これにより上述した１）〜３）の利点に加え、デジタル放送受信装置とアンテナの設置場所が離れていても、外部通信網に依存せずにアンテナ調整ができる。
【００２２】
また、本発明に係るプログラムは、近距離無線通信を行う近距離無線通信手段を具備した携帯端末上で動作し、デジタル放送受信装置と前記近距離無線通信を確立する通信確立ステップと、前記近距離無線通信にて、デジタル放送受信装置から受信した受信強度の情報を表示する表示ステップと、を含む。
【００２３】
これにより上述した１）〜３）の利点に加え、デジタル放送受信装置とアンテナの設置場所が離れていても、外部通信網に依存せずにアンテナ調整ができる。
【発明の効果】
【００２４】
本発明に係るデジタル放送受信装置によれば、デジタル放送受信装置とアンテナの設置場所が離れていても外部通信網に依存せずにアンテナ調整ができる。
【図面の簡単な説明】
【００２５】
【図１】本発明に係るテレビシステムの説明図である。
【図２】本発明に係るテレビシステムとのブロック図である。
【図３】本発明に係るテレビに受信強度画像が表示された様子を示す図である。
【図４】本発明に係るタブレット端末に受信強度画像が表示された様子を示す図である。
【図５】本発明に係るテレビで受信する放送のチャンネル番号、RF周波数、中間周波数、偏波の種類（右旋／左旋）、局発周波数、および、重畳電源（の電圧値）の関係を示す図である。
【発明を実施するための形態】
【００２６】
本発明であるデジタル放送受信システムは、外部通信網に依存せずにアンテナ調整ができることを特徴とする。以下、実施例を図面に基づいて説明する。
【００２７】
なお、本実施例で示されるデジタル放送受信システムの全体構成及び各部の構成は、下記に述べる実施例に限定されるものではなく、本発明の技術的思想の範囲内、即ち、同一の作用効果を発揮できる構成の範囲内で変更することができるものである。
（実施例１）
本発明であるデジタル放送受信装置と携帯端末から構成されるデジタル放送受信システムの一例として、テレビとタブレット端末から構成されるテレビシステムを説明する。なお、デジタル放送受信装置の例としてはテレビの他、レコーダー、セットトップボックス、ゲーム機、ＰＣ、等が挙げられ、デジタル放送受信機能が備えられている機器が該当する。携帯端末の例としては、タブレット端末、スマートフォン、携帯ゲーム機、等が挙げられ、近距離無線通信機能が備えられている機器が該当する。
【００２８】
デジタル放送受信装置は、表示部を備えないデジタル放送受信装置であってよい。例えば、レコーダー、セットトップボックス、デスクトップＰＣ等が挙げられる。本発明では、受信強度の情報を示す受信強度画像を携帯端末に送信するので、表示部を備えないデジタル放送受信装置であっても、前記携帯端末で画像を見ながらより直感的に受信強度を把握でき、より容易にアンテナ調整を行うことができる。
【００２９】
図１は、本発明に係るテレビシステムの説明図である。テレビ１はアンテナ２と同軸ケーブルで接続されている。また、テレビ１は屋内、アンテナ２は屋外のように、離れて設置されている。タブレット端末３は、汎用のＯＳが搭載された一般消費者向けの一般的な
商品である。テレビ１とタブレット端末３は共に近距離無線通信機能を備えており、互いに近距離無線通信で通信を行っている。アンテナ調整者はタブレット端末３に表示される受信強度の情報を見ながらアンテナ２の向く方向の調整を行う。調整の詳細な手順は後述する。
【００３０】
図２は、本発明に係るテレビシステムとアンテナ２のブロック図である。テレビシステムは、テレビ１とタブレット端末３からなる。
【００３１】
アンテナ２は、衛星放送（例えばBS（Broadcasting Satellite）放送及びCS（Communications Satellite）放送）の放送波を受信するものであり、ＲＦ（Radio Frequency）周
波数で伝送される放送波を受信し中間周波数に変換して出力する。また、アンテナ２の電源は同軸ケーブルを介してテレビ１から供給される。テレビ１は同軸ケーブルに電源を重畳しアンテナ２へ受信した放送波の情報を供給する。アンテナ２は供給される重畳電源の電圧によって、受信する偏波を切り替える。図５で図示している通り、本例では、DC15V
（DC：Direct Current）の場合、右旋円偏波を受信し、DC11Vの場合、左旋円偏波を受信
する。
【００３２】
＜テレビ＞
テレビ１は、アンテナ２により放送波を受信し、番組を視聴するものである。
【００３３】
テレビ１は、同調を行うチューナー１１、復調を行う復調部１２、デスクランブルを行うデスクランブル部１３、分離を行う分離部１４、映像の復号を行う映像復号部１５、提示処理を行う提示処理部１６、表示を行う表示部１７、音声の復号を行う音声復号部１８、音声の再生を行う再生部１９、近距離無線通信を行う近距離無線通信部２０、リモコン信号を受光するリモコン受光部２１、制御を行うCPU２２（Central Processing Unit）、及び、記憶を行うメモリ２３から構成される。
【００３４】
アンテナ２から受信した放送波を表示するまでを説明する。
【００３５】
アンテナ２から同軸ケーブルを介してテレビ１に入力された放送波はチューナー１１に入力される。
【００３６】
チューナー１１はユーザーの選局操作によって選択されたサービスが伝送される周波数（CPU２２から指示される）に同調する。
【００３７】
復調部１２は8PSK（PSK：Phase Shift Keying）などのデジタル復調、伝送デスクラン
ブル、デインターリーブ、誤り訂正等の処理を行った後、ユーザーの選局操作によって選択されたサービスが伝送される伝送スロット（CPU２２から指示される）を選択しトラン
スポートストリームを出力する。
【００３８】
デスクランブル部１３では有料放送などにおける限定受信のための暗号化されたデータを復号する。この時用いられる復号化のための鍵情報は図示しないＩＣカードＩＦ部を介して接続されたＩＣカードから取得し、それをCPU２２によってデスクランブル部１３に
与える。
【００３９】
分離部１４ではMPEG（Moving Picture Experts Group）規格によって定義されたトランスポートストリームから、ユーザーの選局操作によって選択されたサービスを構成するコンポーネント（映像・音声・データ放送・その他のデータ）を分離する。分離された各コンポーネント（エレメンタリーストリーム）のうち、映像、音声については映像復号部１５、音声復号部１８にそれぞれ送られる。映像復号部１５、音声復号部１８ではMPEGによ
る復号処理を行う。復号処理が行われたあと、映像は表示部１７にて表示され、音声は再生部１９にて再生される。また、データ放送についてはCPU２２にて処理され、提示処理
部１６のバッファにデータ放送として描画される。描画されたデータ放送は、提示処理部１６内で映像と組合せられる。映像と組み合わされたデータ放送は、表示部１７にて表示される。
【００４０】
提示処理部１６は、グラフィック描画用のバッファを１つ以上備え、映像復号部１５から出力された映像、CPU２２にて処理されバッファに描画されたデータ放送、その他、を
組合せ、表示部１７に表示する画像を生成する。その他としては、字幕、文字スーパー、EPG（Electronic Program Guide：電子番組表）、アプリケーション、メニュー画面、等
がある。字幕、文字スーパー、EPG、アプリケーション、メニュー画面は、CPU２２によりバッファに描画され、映像、データ放送と組合せられる。提示処理部１６のバッファに描画されたグラフィック（画像）、これと映像やデータ放送を組み合わせた画像、について、テレビ１は他の機器に送信することもできる。これは次のようにして実現される。提示処理部１６のバッファに描画されたグラフィック（画像）、これと映像やデータ放送を組み合わせた画像は近距離無線通信部２０に送られ、他の機器に送信される。
【００４１】
表示部１７は、液晶パネル、ドライバ、画像処理部などから構成され、提示処理部１６で生成された画像を表示する。
【００４２】
近距離無線通信部２０（受信部）は、テレビ１の周囲にある無線端末と近距離無線通信する部分であり、IEEE802.11aおよびIEEE802.11gの無線LAN（Local Area Network）規格
に従って近距離無線通信を行う。
【００４３】
近距離無線通信は、無線LANレベルの通信距離、またはこれ以下の通信距離に使われる
無線通信である。上記IEEE802.11aおよびIEEE802.11gの無線LAN規格に従った無線通信や
、他の例としてはBluetooth（登録商標）規格に従った通信などであってもよい。
【００４４】
近距離無線通信部２０（受信部）は、本例では後述するタブレット端末３と通信を行う。通信内容の例としては、後述するアンテナの受信強度の情報をグラフィック表示するグラフィック画面（受信強度画像）をタブレット端末３に送信する。また、このグラフィック画面を操作するためのタブレット端末３からの遠隔制御信号（制御信号）を受信する。
【００４５】
リモコン受光部２１は図示しないリモコンから出力される赤外線を受光する。赤外線にはリモコンを操作することにより発生する操作情報が含まれ、操作情報はCPU２２に送ら
れる。ユーザーはリモコンを用いて電源のオンオフ、チャンネルの切替えや、音量操作、テレビ１の各種設定メニューを操作することにより各種設定、などを行う。
【００４６】
メモリ２３は、揮発性メモリと不揮発性メモリを含む。不揮発性メモリにはテレビ１の制御プログラムや後述する受信パラメータ、各種設定内容が保存される。CPU２２はメモ
リ２３に各種データを記憶させつつテレビ１全体の制御を行う。
【００４７】
＜タブレット端末＞
タブレット端末３は、制御を行うCPU３１、記憶を行うメモリ３２、近距離無線通信を
行う近距離無線通信部３３、提示処理を行う提示処理部３４、表示を行う表示部３５、音声の再生を行う再生部３６、及び、ユーザーからの入力を行う入力部３７から構成される。
【００４８】
メモリ３２は、揮発性メモリと不揮発性メモリを含む。不揮発性メモリにはオペレーティングシステム等のタブレット端末３の制御プログラムや各種設定内容、タブレット端末
３上のアプリケーションが記録するデータ、等が保存される。CPU３１はメモリ３２に各
種データを記憶させつつタブレット端末３の制御を行う。
【００４９】
近距離無線通信部３３はIEEE802.11aおよびIEEE802.11gの無線LAN規格に従って近距離
無線通信を行う。本例ではテレビ１と通信を行う。通信内容の例としては、後述するアンテナの受信強度の情報をグラフィック表示するグラフィック画面（受信強度画像）をテレビ１から受信する。また、このグラフィック画面を操作するための遠隔制御信号をテレビ１へ送信する。
【００５０】
提示処理部３４は、グラフィック描画用のバッファを１つ以上備え、表示部３５に表示する画像を生成する。画像の具体例としては、タブレット端末３を制御するオペレーティングシステムが提供するホーム画面や、タブレット端末３上で動作するアプリケーションの画面があげられる。画像の生成は、オペレーティングシステムやアプリケーションを実行するプログラムの描画命令に従ってバッファに描画することにより行う。
【００５１】
表示部３５は、液晶パネル４０４、ドライバ、などから構成され、提示処理部３４で生成された画像を表示する。また、液晶パネル４０４、ドライバ、等は入力部３７としても動作する。ユーザーは液晶パネル４０４に触れることによってタブレット端末３への入力を行う。実際には、ユーザーが指で触れるとこの位置を検知して位置データが入力部３７からCPU３１に送られる。
【００５２】
入力部３７は、液晶パネル４０４、操作用のボタン４０１、などから構成される。ユーザーは液晶パネル４０４に触れることによりタブレット端末３への入力が可能であり、また、操作用のボタン４０１を押すことによっても入力できる。
【００５３】
再生部３６は、CPU３１から送られてくる音声データを音声として再生する。
【００５４】
＜アンテナ設定メニュー＞
以下、図３、図５を使って説明する。
【００５５】
テレビ１に内蔵された機能であるアンテナ設定メニューについて説明する。アンテナ設定メニューは、放送を構成する各チャンネルの受信強度を表示する機能を持つ。一般的なアンテナ調整では、アンテナ調整者は、テレビ１のアンテナ設定メニューが表示されている画面（アンテナ設定メニュー画面）を見ながら、或いは、誰かに見てもらいながらアンテナ調整を行う。
【００５６】
受信強度は、放送の受信が良好に行えるように定義された値である。受信強度に関する説明は通常、テレビ１の取扱説明書等に記載されている。定義はメーカーや機種ごとに異なる場合もある。受信強度については、例えば、アンテナレベル、受信レベル、アンテナ入力レベル、信号強度、信号品質、受信状況、などの呼び方をする場合もある。本実施例での定義は次のとおりである。受信強度は０から９９の値をとる。大きな値ほど、放送の受信が良好に行えるように、また受信強度が所定の閾値（例えば６０）以上になるようアンテナ等の調整を行えばノイズ等のない良好な視聴ができるように、テレビ１の設計上定義されている。受信強度はチューナー１１から得られる受信信号のレベルや復調部１２から得られるビット誤り率などを元に生成される。
【００５７】
図３は、テレビ１の表示部１７にＢＳ衛星信号テスト画面３００（受信強度画像）が表示されている様子を表した図である。ＢＳ衛星信号テスト画面３００に表されているＢＳ衛星信号テストのメニューはアンテナ設定メニューの一部である。また、ＢＳ衛星信号テスト画面３００はアンテナ設定メニュー画面の一種である。ＢＳ衛星信号テスト画面３０
０は、CPU２２（画像生成部）の指示により提示処理部１６のバッファに描画され、表示
部１７により表示される。また、ＢＳ衛星信号テスト画面３００は、近距離無線通信部２０から近距離無線通信でタブレット端末３に送信される。ＢＳ衛星信号テスト画面３００は、グラフィカルユーザーインターフェースであり、「BS-1」〜「BS-23」のチャンネル
番号を選択するためのオブジェクト３０２と、選択されているチャンネル番号の表示３０３と、当該チャンネル番号の受信強度の現在値を示すバー３０４と、現在値の表示３０５と、一定期間（例えば10秒）の間の受信強度の最大値の表示３０６と、から構成される。
【００５８】
ＢＳ衛星信号テスト画面３００は、ユーザーの操作によって表示される。
ユーザーがリモコンのメニューボタンを押すと、設定項目（メニュー第１階層）が表示される。さらに、設定項目の中から「アンテナ設定」の項目をリモコンのカーソルキーと決定キーで選択する。さらに表示された項目（メニュー第２階層）のなかから「信号テスト−ＢＳ」３０１を同様に選択することでＢＳ衛星信号テスト画面３００が表示される。本画面では、チャンネル番号として「BS-15」が選択されており、BS-15チャンネルの受信強度の現在値が「87」であることが示されている。また、ユーザーはリモコンのカーソルキーと決定キーでチャンネル番号を切り替えることができる。例えば「BS-16」を選択する
と、CPU２２はチューナー１１に対し、BS-16チャンネルが伝送される偏波を受信するようアンテナ２への重畳電源（の電圧）を切り替え、また、BS-16チャンネルが伝送される周
波数へ同調するように指示する。チューナー１１はこのとおり重畳電源（の電圧）を切り替えると共に当該周波数に同調する。復調部１２はビット誤り率を推定する。CPU２２は
受信信号レベルやビット誤り率をそれぞれチューナー１１、復調部１２から取得し、これらを元にして受信強度を生成し、現在値としてバーの表示や値の表示を行う。
【００５９】
図５について説明する。図５は、衛星放送の各チャンネルの仕様例を説明したものである。チャンネル番号は、衛星放送の各チャンネルの番号である。この例ではBS-1からBS-24まである。RF周波数は、放送波の搬送波の周波数である。中間周波数は、アンテナ２内
で変換された後の周波数である。中間周波数は、受信信号の同調周波数のパラメータである。右旋／左旋は、放送波の偏波の種類であり、チャンネルよって異なる。偏波の種類としては、垂直偏波、水平偏波、右旋円偏波、左旋円偏波等があり、本例では、右旋回円偏波（右旋）、左旋円偏波（左旋）が用いられている。右旋を受信するようにアンテナ２を設定した場合は、左旋は受信できない（逆も同様）。局発周波数は、アンテナ２内においてRF周波数で伝送される放送波を中間周波数に変換する際に用いる局部発振器の周波数である。図５の重畳電源の列に記載されているのは重畳電源の電圧である。重畳電源は、テレビ１からアンテナ２に対して同軸ケーブル（アンテナ線）を介して供給される電源である。重畳電源は、電力源であると同時に電圧値で機能を切り替える機能も持つ。重畳電源の電圧値は、アンテナの受信偏波を切り替えるパラメータである。この例では、右旋／左旋の切り替えをDC15V、DC11Vのいずれかにすることで行っている。右旋の場合はDC15Vを
供給し、左旋の場合は、DC11Vを供給する。BS-1の場合は、図５中のBS-1の行に示される
通り、右旋であるのでDC15Vが設定され、BS-2の場合は、BS-2の行の通り左旋であるので
、DC11Vが設定される。チャンネル番号、RF周波数、中間周波数、偏波の種類、局発周波
数、重畳電源の電圧値は、それぞれ受信パラメータであると言え、これらの関係はテレビ１の不揮発メモリに保存されている。
【００６０】
受信パラメータは、放送を受信するためのパラメータである。上記チャンネル番号、RF周波数、中間周波数、偏波の種類、局発周波数、重畳電源の電圧値の他、放送衛星を特定するためのデータや、デジタル放送において、衛星、放送、システム、トランスポートストリーム、または、サービスを特定するための識別子、例えば、ネットワークID、トランスポートストリームID、サービスID、なども含まれる。
【００６１】
なお、チャンネル番号の切替え、またこれに伴う受信パラメータの切替え（変更）、は
リモコンだけでなく、後述するように、タブレット端末３からの遠隔制御信号によって切り替えることもできる。タブレット端末３からの遠隔制御信号は近距離無線通信部２０にて受信されてCPU２２に送られ、CPU２２（パラメータ変更部）は、この遠隔制御信号にしたがって、リモコンのカーソルキーと決定キーが押された場合と同様にしてチャンネル番号を切り替え、受信パラメータを変更する。
【００６２】
＜タブレット端末上に表示されるアンテナ設定アプリ＞
本発明によりタブレット端末３に表示される画面について説明する。
【００６３】
この画面は、アンテナ設定アプリの画面であり、テレビ１のアンテナ設定メニュー画面と、このアンテナ設定メニュー画面を操作するためのユーザーインターフェースの一部となるオブジェクトとから構成される。
【００６４】
図４は、タブレット端末３の液晶パネル４０４にアンテナ設定アプリの画面４０３が表示されている様子を表した図である。タブレット端末３の外側には、表示部３５であり入力部３７である液晶パネル４０４、入力部３７である操作用のボタン４０１、が配置されている。
【００６５】
アンテナ設定アプリ画面４０３は、ＢＳ衛星信号テスト画面３００、操作用のボタン（ボタンオブジェクト）４０２から構成される。
【００６６】
ＢＳ衛星信号テスト画面３００はテレビ１に表示されている画像がテレビ１の近距離無線通信部２０から送信され、これを、タブレット端末３の近距離無線通信部３３にて受信して表示する。
【００６７】
操作用のボタン４０２は、カーソル移動ボタン、決定ボタン、戻るボタンから構成される。これらのボタンはCPU３１が描画し表示されるグラフィカルユーザーインターフェー
スである。これらのボタンを押す（詳細には液晶パネル４０４上のボタンが表示されている箇所をタッチする）と、ボタンが押されたことを示すデータ（遠隔制御信号）がCPU３
１により生成され、遠隔制御信号は近距離無線通信部３３を介してテレビ１に送信される。テレビ１では近距離無線通信部２０を介して受信した遠隔制御信号にしたがってＢＳ衛星信号テスト画面３００の操作をリモコンのカーソル移動キーや決定キー等が押された場合と同様に行う。
【００６８】
このように、テレビに表示されるアンテナ調整に関わる画面とほぼ同じイメージの画面（画像）をタブレットに表示することによって、アンテナ調整者は、既知の調整画面に沿った操作方法で、スムーズにアンテナ調整を行うことが出来る。
【００６９】
＜アンテナ調整者の使用シーン＞
本発明による調整作業の流れを説明する。アンテナ２は、テレビ１から離れた場所に設置されており、アンテナ２の向きは、また調整されていない状態である。
【００７０】
まず、作業者（アンテナ調整者）はテレビ１にＢＳ衛星信号テスト画面３００を表示させ、適当なチャンネル、例えばBS-15を選択する。
【００７１】
次に、作業者はタブレット端末３のアンテナ設定アプリ（ＢＳ衛星信号テスト画面３００を表示させるためのアプリ）を起動する。すると、受信機を選択するための受信機選択画面が表示される。この画面には、タブレット端末３と通信ができ且つＢＳ衛星信号テスト画面の表示が可能な受信機がリスト表示されている。上記のテレビ１の他、他のテレビやレコーダー等もリスト表示に含まれることもある。この中から所望の受信機であるテレ
ビ１を選択する。他の受信機と区別ができるように、ユニークに割り当てられた識別子、例えば、近距離無線通信部２０を構成する無線インターフェースに割り当てられたMAC（Media Access Control）アドレスを受信機のＢＳ衛星信号テスト画面に表示し、これを元
に所望の受信機を選択できるようにしてよい。テレビ１を選択すると、アンテナ設定アプリはテレビ１との接続を確立させる。タブレット端末３は、テレビ１と近距離無線通信を確立するともいえる。これにより、アンテナ設定アプリは、選択したテレビ１に表示されたＢＳ衛星信号テスト画面３００を、近距離無線通信部３３を介して受信しこれを表示する。言いかえれば受信強度の情報を表示するとも言える。これにて作業者はテレビ１に表示しているＢＳ衛星信号テスト画面３００をタブレット端末３上でも確認することができるようになる。
【００７２】
次に、作業者はタブレット端末３を持ってテレビ１から離れ、アンテナ２の元に移動する。そして、タブレット端末３上に表示されるＢＳ衛星信号テスト画面３００の受信強度を見ながら、アンテナ２の角度を調整する。また、タブレット端末３上の操作用のボタン４０２でチャンネル番号を切り替え、全チャンネルで良好な受信ができているか確認しながら調整する。
【００７３】
このようにして、アンテナ２の調整が完了する。タブレット端末３を持っていればテレビ１から離れてもＢＳ衛星信号テスト画面３００の受信強度を見ることができ、また、ＢＳ衛星信号テスト画面３００で受信するチャンネルを切り替えることができるので、作業者１人でアンテナ２の調整ができ、負担を小さくすることが出来る。
【００７４】
本発明は、プログラムとして実現することも可能であり、また、プログラムを記録媒体に記録して実現しても良いことはもちろんである。記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７５】
本発明によれば、デジタル放送受信装置から携帯端末への受信強度の情報の伝送について、近距離無線通信を用いるので、上述した１）〜３）の利点に加え、デジタル放送受信装置とアンテナの設置場所が離れていても外部通信網に依存せずにアンテナ調整ができる。
【００７６】
この根拠は次の通りである。従来の技術（特許文献１）では、公衆（電話）回線を例とする外部通信網を通じて携帯電話などに送信していたが、本発明に係るデジタル放送受信装置は、受信強度の情報について、近距離無線通信で携帯端末に送信することを特徴としているためである。従来の技術に近距離無線通信技術を単純に採用しても、本発明の特有の構成である「受信強度の情報について、近距離無線通信で携帯端末に送信する」ことを特徴とする点の開示示唆はなく、本発明に想到することは容易でない。
【産業上の利用可能性】
【００７７】
本発明は、アンテナ調整用の情報を携帯端末を介して調整者に通知するデジタル放送受信機に関するものであり、産業上の利用可能性は高い。
【符号の説明】
【００７８】
１  テレビ
２  アンテナ
３  タブレット端末
１１  チューナー
１２  復調部
１３  デスクランブル部
１４  分離部
１５  映像復号部
１６  提示処理部
１７  表示部
１８  音声復号部
１９  再生部
２０  近距離無線通信部
２１  リモコン受光部
２２  ＣＰＵ
２３  メモリ
３１  ＣＰＵ
３２  メモリ
３３  近距離無線通信部
３４  提示処理部
３５  表示部
３６  再生部
３７  入力部
３００  ＢＳ衛星信号テスト画面
３０１  メニュー第２階層
３０２  チャンネル番号選択オブジェクト
３０３  チャンネル番号表示
３０４  受信強度表示バー（現在値）
３０５  受信強度表示（現在値）
３０６  受信強度表示（最大値）
４０１  ボタン
４０２  ボタンオブジェクト
４０３  アンテナ設定アプリ画面
４０４  液晶パネル
【図１】
2019068185.tif 000003
【図２】
2019068185.tif 000004
【図３】
2019068185.tif 000005
【図４】
2019068185.tif 000006
【図５】
2019068185.tif 000007